(57)【要約】      （修正有）【課題】収容部を形成しているゴルフバッグの外装材たる共布がハンドルやショルダーベルトに引張られることがなく、かつ、収容する物品に適した収容部の構造を備えたゴルフバッグを提供する。【解決手段】筒体１の上部近傍であってハンドル３の下端部に対応する位置に小径の略アーチ状をなすハンドル取付用フレーム８を設けてハンドルの上端部を筒体に取付けると共にハンドルの下端部を取付用フレームに取付け、ショルダーベルト下端部用のベルト留め環４ｂを、バッグ正面側の物品収容部を通して筒体に取付けた留め環支持ベルト９に連結する一方、ハンドルの下端部とショルダーベルト下端部の留め環の間に、眼鏡や携帯電話等の小型物品専用の収容部１０を設けると共に、ハンドル近傍に形成した物品収容部１１の内張を柔軟な断熱シート材で形成した。【選択図】図１
0003195299.tif 000002
【実用新案登録請求の範囲】
【請求項１】
クラブ収容部を形成する硬質筒体の外面上であってバッグ正面側の上下部の間に物品収容部を設けたゴルフバッグにおいて、前記筒体の上部近傍であってハンドルの下端部に対応する位置に、小径の略アーチ状をなすハンドル取付用フレームを設け、前記ハンドルの上端部を前記筒体に取付けると共に該ハンドルの下端部を前記取付用フレームに取付けたことを特徴とするゴルフバッグ。
【請求項２】
ショルダーベルトの上端部と下端部を連結するベルト留め環における前記下端部用のベルト留め環を、前記バッグ正面側の物品収容部を通して前記筒体に取付けた留め環支持ベルトに連結したことを特徴とする請求項１に記載のゴルフバッグ。
【請求項３】
バッグ正面側における前記ハンドルの下端部と前記ショルダーベルト下端部の留め環の間に、眼鏡や携帯電話等の小型物品の収容部を設けた請求項１又は２に記載のゴルフバッグ。
【請求項４】
前記ハンドルに近い物品収容部の内張を柔軟な断熱シート材で形成し断熱性収容部としたことを特徴とする請求項１〜３のいずれかに記載のゴルフバッグ。
【請求項５】
クラブ収容部を形成する硬質筒体の外面上であってバッグ正面側の上下部の間に物品収容部を設けたゴルフバッグにおいて、前記筒体の上部近傍であってハンドルの下端部に対応する位置に小径の略アーチ状をなすハンドル取付用フレームを設けて前記ハンドルの上端部を前記筒体に取付けると共に該ハンドルの下端部を前記取付用フレームに取付け、ショルダーベルト下端部用のベルト留め環を、前記バッグ正面側の物品収容部を通して前記筒体に取付けた留め環支持ベルトに連結する一方、前記ハンドルの下端部と前記ショルダーベルト下端部の留め環の間に、眼鏡や携帯電話等の小型物品専用の収容部を設けると共に、前記ハンドル近傍に形成した物品収容部の内張を柔軟な断熱シート材で形成し断熱性収容部としたことを特徴とするゴルフバッグ。
【考案の詳細な説明】
【技術分野】
【０００１】
本考案はハンドルやショルダーベルトの取付けに工夫を施したゴルフバッグであって、ゴルフクラブ以外の収容物品の内容に応じた適切な形態と性能の収容部を具備したゴルフバッグに関する。
【背景技術】
【０００２】
ゴルフクラブ以外の物品収容部（以下、単に物品収容部又は収容部という）に工夫を施したゴルフバッグとしては、本考案の考案者が実用新案登録第２５４４６０４号として既に提案済みである。
【０００３】
提案した上記ゴルフバッグは、従来バッグの物品収容部が、クラブ収容部を形成したバッグ本体の背面側に、物品収容部を形成するため袋状乃至はバッグ状をなす部分を、バッグ本体の共布によって形成されていることにより、物品収容部の容積を余り大きくできないという難点を解消することを目的として考案されたものである。
【０００４】
すなわち、従来のゴルフバッグでは、そのバッグの正面側（ハンドルやショルダーベルトの設置側）にも物品収容部を形成していたが、ゴルフバッグの正面側には、当該バッグを手で提げたり、肩に担いだりするためのハンドルやショルダーベルトやその留め環が設けられているため、バッグ正面に設けられる物品収容部は、前記ハンドルやベルトの取付部を回避して当該バッグの下半側にしか形成することができなかった。この事情により、収容部の容積は余り大きくできず、また、収容部がバッグ正面の下半側に位置するため物品の出入れが行い難くかった。
【０００５】
そこで、先に提案したゴルフバッグは、バッグ正面側の上部から下部に亘るほぼ全面に物品収容部を形成し、かつ、正面側全域を物品収容部としても、ハンドルやショルダーベルトの取付やその使用にも何ら支障のない構造を具備したものであった。
【０００６】
このため先に提案して実用新案登録されたゴルフバッグは、クラブ収容部を形成する硬質筒体の正面側の外面上に、前記筒体の上部から下部に亘って高さ方向に沿って中間部が略フラットな全体として大略アーチ状をなす骨格フレームを跨設し、該アーチ状フレームをその上から外装材で覆うことにより前記フレームの左右と前記筒体外面との間に物品収容部を形成したものである。
【０００７】
しかし乍ら、先に提案したゴルフバッグは、バッグの芯体となる硬質筒体におけるバッグ正面側の高さ方向の上下部の間に略アーチ状をなす骨状フレームを跨設し、該フレームの左右と前記筒体外面の間に物品収容部を形成したものであったから、次の問題点があった。
【０００８】
すなわち、硬質筒体のバッグ正面側になる上，下部間に骨状フレームを設けたために、ハンドルの上端部とショルダーベルトの上端部は前記筒体に固定できるが、それらの下端部は前記骨状フレームに取付けられることとなるため、このバッグをハンドルを握って提げたり、ショルダーベルトで肩に担ぐと、前記フレームが撓んで当該フレームを覆っているバッグ本体の外装材である共布を引張って伸ばしてしまうという点である。
【０００９】
また、提案した上記バッグは、骨状フレームを設けたことによりバッグ正面側に大容量の収容部が形成できる利点はあったが、形成された収容部は使い勝手のよさや利便性を追求した形態ではなかったので、使い勝手や利便性の向上のために工夫の余地があった。
【先行技術文献】
【特許文献】
【００１０】
【特許文献１】実用新案登録第２５４４６０４号公報
【考案の概要】
【考案が解決しようとする課題】
【００１１】
そこで本考案では、バッグ正面側の略全域に物品収容部を形成し、かつ、その正面側にハンドルやショルダーベルト又はその支持部を設けても、前記収容部を形成している当該バッグの外装材たる共布が前記ハンドルやショルダーベルトに引張られることはないようにし、かつ、この部位に形成する収容部を収容する物品に適した収容部の構造を備えたゴルフバッグを提供することを、その課題とする。
【課題を解決するための手段】
【００１２】
上記課題を解決することを目的としてなされた本考案ゴルフバッグの構成は、クラブ収容部を形成する硬質筒体の外面上であってバッグ正面側の上下部の間に物品収容部を設けたゴルフバッグにおいて、前記筒体の上部近傍であってハンドルの下端部に対応する位置に、小径の略アーチ状をなすハンドル取付用フレームを設け、前記ハンドルの上端部を前記筒体に取付けると共に該ハンドルの下端部を前記取付用フレームに取付けたことを第一の特徴とするものである。
【００１３】
本考案ゴルフバッグは、上記構成において、ショルダーベルトの上端部と下端部を連結するベルト留め環における前記下端部用のベルト留め環を、前記バッグ正面側の物品収容部を通して前記筒体に取付けた留め環支持ベルトに連結したことを第二の特徴とする。
【００１４】
更に本考案ゴルフバッグは、上記構成において、バッグ正面側における前記ハンドルの下端部と前記ショルダーベルト下端部の留め環の間に、眼鏡や携帯電話等の小型物品の収容部を設ける一方、前記ハンドルに近い物品収容部の内張を柔軟な断熱シート材で形成し断熱性収容部としたことを第三の特徴とするものである。
【考案の効果】
【００１５】
本考案ゴルフバッグは、クラブ収容部を形成する硬質筒体の外面上であってバッグ正面側の上下部間に物品収容部を設けたゴルフバッグにおいて、前記筒体の上部であってハンドル下端部に対応する位置に、小径の略アーチ状をなすハンドル取付用フレームを設け、前記ハンドル下端部を前記取付用フレームに取付けたから、当該バッグの収容部を形成している外装材の共布が、ハンドルを提げても伸びない。また、ショルダーベルト下端部の留め環を、前記物品収容部を通して前記筒体に取付けた留め環支持ベルトに連結したから、ショルダーベルトを肩にかけてゴルフバッグを担いでも前記外装材の共布が伸びることはない。
【００１６】
さらに、前記ハンドル下部とショルダーベルト下端部の留め環の間に、眼鏡や携帯電話などの小型物品で使用機会が多いものの収容部を設けたので、小型物品の出入れが行い易く、かつ、散逸し易い小型物品の保管に便利である。
加えて、前記ハンドルに近い物品収容部の内張を断熱シート材で形成し断熱性収容部としたから、例えば、収容した水などの飲料を凍結したペットボトルを収容しておけば、長時間凍結状態を維持でき長時間に亘り冷たい飲料を飲むことができる。
【図面の簡単な説明】
【００１７】
【図１】本考案ゴルフバッグの一例の要部を説明するための左側面図。
【図２】図１のゴルフバッグの左側断面図。
【図３】先に提案したゴルフバッグの要部の左側断面図。
【図４】図３のバッグの一部を仮想視した平断面図。
【００１８】
図３は先に提案したゴルフバッグの一例の左側断面図、図４は一部を仮想視した図３のバッグの平断面図である。
図３、図４において、１はゴルフバッグにおいてクラブ収容部の本体を形成する合成樹脂製の硬質筒体、２は該筒体１に設けた筒体１と同質材の底である。
先に提案したゴルフバッグの従来例にあたるゴルフバッグでは、上記底２を有する硬質筒体１の周囲や開口部などを皮革、レザーシート材や織布等の外装材で覆うと共に、前記筒体１の正面側（図３の右側）に、直にハンドル３やショルダーベルト（図示せず）の上下端部を結合する上下の留め環４ａ，４ｂが取付けられていた。従って、従来バッグには筒体１の上下部に亘る骨状フレーム５は設けられていない。
【００１９】
上記のように従来ゴルフバッグにおいては、前記筒体１の正面側にハンドル３の下端部３ｂやショルダーベルト下端の留め環４ｂが直に取り付けられていたのでこれを避けるため、前記筒体１の下方の留め環４ｂよりも下方の部位にしか、クラブ以外の物品、例えば、タオルや着替え、雨ガッパ，バッグカバー等の物品収容部を形成できなかった。しかし、これでは物品収容部としては十分ではなく、また、バッグを立てた姿勢での物品の出し入れも行い難いという問題があったことは、先にも述べた通りである。
【００２０】
そこで先に提案した図３、図４のゴルフバッグでは、まず、前記筒体１の正面側に当該筒体１の高さ（長さ）方向のほぼ全長において、側面からみて中間部は略平坦な大略アーチ状をなす骨状フレーム５を、そのフレーム５の上，下端部５ａ，５ｂで前記筒体１に固着して設けた。また、このフレーム５の中間に前記筒体１に骨状フレーム５を連結するための吊子６を設けている。
【００２１】
先に提案した図３のゴルフバッグでは、硬質筒体１の上下端部の間にまたがる骨状フレーム５を設けたことにより、該フレーム５を含む筒体１を外装材７で覆ってしまうと、前記筒体１の正面から側面にかけての外面と骨状フレーム５の背面側の左，右の間に、図４の平断面図に示す収納部となる空間Ｓ１，Ｓ２が前記外装材７により形成される。Ｓ３は前記筒体１の背面側に前記外装材７によって形成される収納部となる空間である。なお、図３、図４において、Ｂｈは外装材７を筒体１の側面と骨状フレーム５の外面に止めるための止着帯である。
【００２２】
図３，図４に例示した先に提案したゴルフバッグでは、バッグ正面側の筒体１に、該筒体１の上下部間に跨がる大略アーチ状の骨状フレーム５を設け、該フレーム５の上から外装材７を被せる形態でバッグ正面側に収容部となる空間Ｓ１，Ｓ２を形成することができた。図3においてＳｔ１、Ｓｔ２は前記空間Ｓ１，Ｓ２に形成した上位収容部と下位収容部、Ｆ１，Ｆ２は前記収容部Ｓｔ１、Ｓｔ２の出し入れ口のファスナー、Ｓｐ１、Ｓｐ２は前記収容部Ｓｔ１、Ｓｔ２の区画帯である。
しかし、図３、図４のバッグでは、前記フレーム５が筒体１の上下部の間に跨設された形態であったため、ハンドル３の下端部３ｂとショルダーベルトの下端部を留める留め環４ｂとはそれぞれ前記骨状フレーム５に取付けられることになった。
そうすると、例えばハンドル３を握ってバッグを提げた場合、前記骨状フレーム５がその長さゆえに撓んで外装材７（共布）が伸びるという問題が判った。また、この外装材７が伸びる点は、ショルダーベルト（図示せず）の両端を、上下の留め環４ａ，４ｂに連結してこのバッグを肩に担いだときも、前記フレーム５がショルダーベルトの下端側に引張られて撓み変形し、これにより外装材７が引張られて伸びるという点で前記ハンドル３の場合と共通した問題であった。
【００２３】
そこで本考案では長大な骨状フレーム５を硬質筒体１の上下部の間に跨設することを廃し、廃止した骨状フレーム５に代えてハンドル３の下端部３ｂとショルダーベルトの下端部を連結する留め環４ｂとを、前記筒体１に直に固着したそれぞれ専用の取付部材（小径アーチ状フレームと留め環支持ベルト）に支持させるようにした。この点について図１、図２により以下に説明する。なお、図１、図２において図３、図４と同じ部材、同じ部位は同じ符号を用いている。
【００２４】
図１，図２において、８は、ハンドル３の下端部３ｂを結合支持するため、筒体１の正面側上部に設けた側面視略山形状（又は、小径アーチ状）をなすハンドル用フレームである。該ハンドル用フレーム８はその上，下端部８ａ，８ｂが筒体１の上部にカシメ等により固定され、その山形（小径アーチ）の下位の下り勾配側に、ハンドル３の下端部が鋲止等によって固定結合されている。ここで、ハンドル用フレーム８は、外筒１の表面から山形状に突出しているから、この突出形状によって筒体１の正面側における外装材７を膨出させる作用がある。
【００２５】
図１，図２において、９は、ショルダーベルトＳＢの下端部を留める留め環４ｂを先端部９ａに結合保持した留め環支持ベルトで、該支持ベルト９の下端部９ｂは外筒１の外面に鋲止等により固定されている。この支持ベルト９も準硬質系の材料であるから、外筒１の正面側の膨出態様の外装材７の形態を保持する作用がある。
【００２６】
上記ハンドル用フレーム８と留め環用支持ベルト９によって、ハンドル３を握ってゴルフバッグを提げても、或は、ショルダーベルトＳＢを肩にかけてゴルフバッグを担いでも、それによる荷重は、すべて前記ハンドル用フレーム８又は前記支持ベルト９を介して外筒１に伝わるから、外装材７（共布）に前記荷重は全くかからない。
【００２７】
上記ハンドル用フレーム８と留め環用支持ベルト９によって、外筒１の正面側に膨出態様で配置されている外装材７において、本考案では、ハンドル３の下端部３ｂと下位の留め環４ｂの間に、眼鏡や携帯電話等の小型物品を収納，保管するのに適した小形物品専用の収容部１０を設けた。
【００２８】
小形物品専用の収納部１０は、前記ハンドル３のほぼ直下に設けられ、かつ、出し入れ口のラインファスナー１０ａが水平な向きでアーチゲート状に設けられているから、ゴルフバッグを立てた状態において出し入れ口が水平な向きで開閉され、眼鏡等の出し入れを行い易い。
【００２９】
本考案では、筒体１の正面側の上位に形成される収容部１１（図１参照）において、ハンドル３の左側又は右側に設けられる収容部１１の内張り材（布）に断熱シート材１１ａを用いてこの収容部１１を断熱性収容部に形成した。
断熱シート材１１ａにより収容部１１の内張りを形成したので、この収容部１１は保冷又は保温作用があり、特に、夏場のプレイにおいて、凍結させたペットボトル飲料を収容しておけば、長時間に亘って冷えた飲料を補給できるから、便利であるのみならず、熱中症予防などの健康面においても有用な収容部である。なお１１ｂはこの収容部１１の開閉をするためのラインファスナーである。図１、図２において、１２は筒体１の正面側における空間Ｓ１，Ｓ２の下位に形成した収容部、１２ａはその収容部１２の開閉用のラインファスナーである。
【００３０】
本考案ゴルフバッグは以上の通りであって、先に提案したゴルフバッグの外装材の共布が伸びる問題を解決すると共に、小形物品の専用収容部をハンドルの直下に出し入れ口を水平な向きで設けたから眼鏡や携帯電話の出し入れが容易になし得、さらには断熱材で囲まれた断熱性収容部を設けたから冷たいものや温かいものの状態を長時間保持でき、ゴルフバッグの使い勝手や利便性を大幅に向上させることができる。
【符号の説明】
【００３１】
１  硬質筒体
２  底
３  ハンドル
４ａ，４ｂ  ショルダーベルトＳＢの 留め環
７  外装材
８  ハンドル用フレーム
９  留め環用支持ベルト
Ｓ１，Ｓ２，Ｓ３  収容部となる空間
１０  小形物品専用の収容部
１１  断熱性収容部
【図１】
0003195299.tif 000003
【図２】
0003195299.tif 000004
【図３】
0003195299.tif 000005
【図４】
0003195299.tif 000006
【手続補正書】
【提出日】平成26年10月28日(2014.10.28)
【手続補正１】
【補正対象書類名】実用新案登録請求の範囲
【補正対象項目名】請求項３
【補正方法】変更
【補正の内容】
【請求項３】
バッグ正面側における前記ハンドルの下端部と前記ショルダーベルト下端部の留め環の間に、眼鏡や携帯電話等の小型物品の収容部を設けた請求項２に記載のゴルフバッグ。